(57)【要約】【課題】  乗降時の乗客だけでなく、ステップに乗って移動中の乗客にも明るいイメージを与えることができるようにしたマンコンベヤを提供する。【解決手段】  無端状に配列された多数のステップ３が一方の乗降口１と他方の乗降口２との間を循環移動する。これらステップ３の両側においてその移動方向に延びるように一対の欄干４が立設されている。欄干４の内側面の両端部及び中間部に複数の照明器９Ａ乃至９Ｅが設けられている。【選択図】      図２
2006082895.tif 000002
【特許請求の範囲】
【請求項１】
無端状に配列され、一方の乗降口と他方の乗降口との間を循環移動する多数のステップと、前記多数のステップの両側においてその移動方向に延びるように立設された一対の欄干と、前記一対の欄干の少なくとも一方の内側面の両端部及び中間部に設けられた複数の照明器とを備えたことを特徴とするマンコンベヤ。
【請求項２】
前記照明器が、前記欄干の内側面に形成された開口に取り付けられた透光性部材と、その裏側に配置されたランプとを有するものであることを特徴とする請求項１記載のマンコンベヤ。
【請求項３】
前記複数の照明器が前記欄干の長手方向にほぼ一定の間隔をおいて配置されたことを特徴とする請求項１又は請求項２記載のマンコンベヤ。
【請求項４】
前記複数の照明器を時間差をおいて順次点灯させる制御装置を備えたことを特徴とする請求項１乃至請求項３のいずれか一項記載のマンコンベヤ。
【発明の詳細な説明】
【技術分野】
【０００１】
本発明は、エスカレータや動く歩道等のマンコンベヤに関し、より詳しくは欄干の内側面に照明器を設けたマンコンベヤの改良に関する。
【背景技術】
【０００２】
図４は従来のエスカレータの一例を示す側面断面図である。このエスカレータは、無端状に配列され、下階側の乗降口１０１と上階側の乗降口１０２との間を循環移動する多数のステップ１０３と、ステップ１０３の両側においてその移動方向に延びるように立設された一対の欄干１０４（一方のみ図示）と、各欄干１０４の周縁部に支持され、ステップ１０３と同期して移動する無端状の手摺ベルト１０５とを備えている。
【０００３】
欄干１０４は、手摺ベルト１０５を支持するデッキ１０６、内側板１０７、及び外側板（図示せず）とを備えている。そして、内側板１０７は、下階部１０７ａ、複数の中間部１０７ｂ、上階部１０７ｃから成っている。
【０００４】
下階部１０７ａと上階部１０７ｃには、乗降口１０１、１０２を明るくする等の目的でそれぞれ照明器１０８が設けられており、この照明器１０８は、内側板１０７に形成された開口に取り付けられた透光性を有するアクリル板１０９と、その裏側に配置されたリング状のランプ１１０とを有している。
【発明の開示】
【発明が解決しようとする課題】
【０００５】
上記従来のエスカレータでは、乗降時の乗客には明るいイメージを与えることができるものの、ステップ１０３に乗って移動中の乗客には明るいイメージを与えることができない（特に夜間や暗い建物内の場合）という問題点が有った。
【０００６】
本発明は上記問題点に鑑みてなされたものであり、その目的は、乗降時の乗客だけでなく、ステップに乗って移動中の乗客にも明るいイメージを与えることができるようにしたマンコンベヤを提供することにある。
【課題を解決するための手段】
【０００７】
上記目的を達成するために、本発明のマンコンベヤは、無端状に配列され、一方の乗降口と他方の乗降口との間を循環移動する多数のステップと、前記多数のステップの両側においてその移動方向に延びるように立設された一対の欄干と、前記一対の欄干の少なくとも一方の内側面の両端部及び中間部に設けられた複数の照明器とを備えたことを特徴としている。
【発明の効果】
【０００８】
本発明のマンコンベヤは、欄干の内側面の両端部だけでなく、中間部にも照明器が設けられているため、乗降時の乗客だけでなく、ステップに乗って移動中の乗客にも明るいイメージを与えることができる。
【発明を実施するための最良の形態】
【０００９】
以下、本発明の一実施形態を図面に基づいて説明する。図１は本発明の一実施形態であるエスカレータの要部斜視図、図２は図１のエスカレータの側面断面図、図３は図２のＡ−Ａ線断面図である。
【００１０】
図１に示すように、このエスカレータは、無端状に配列され、下階側の乗降口１と上階側の乗降口２（図２参照）との間を循環移動する多数のステップ３と、ステップ３の両側においてその移動方向に延びるように立設された一対の欄干４と、各欄干４の周縁部に支持され、ステップ３と同期して移動する無端状の手摺ベルト５とを備えている。
【００１１】
欄干４は、手摺ベルト５を支持するデッキ６、内側板７、及び外側板８を備えている。そして、内側板７は、図２に示すように、下階部７ａ、複数の中間部７ｂ、上階部７ｃから成っている。
【００１２】
本実施形態では、各欄干４の下階部７ａ、各中間部７ｂ、上階部７ｃにそれぞれ照明器９が設けられている。これらの照明器９Ａ乃至９Ｅは、図３に示すように、内側板７に形成された開口１０に取り付けられた透光性を有するアクリル板１１と、その裏側に配置されたリング状のランプ１２とを有している。
【００１３】
図２に示すように、照明器９Ａ乃至９Ｅは駆動回路１３に接続され、この駆動回路１３に接続された制御装置１４からの制御信号に基づいて個別に点灯及び消灯する。
【００１４】
このように、欄干の内側面の両端部だけでなく、中間部にも照明器を設けたことで、乗降時の乗客だけでなく、ステップに乗って移動中の乗客にも明るいイメージを与えることができる。
【００１５】
特に、本実施形態では、照明器が欄干の長手方向全長にわたってほぼ一定の間隔をおいて配置されており、エスカレータ全体を満遍なく照らすことができるため、そのような効果を確実に奏することができる。
【００１６】
なお、照明器９Ａ乃至９Ｅを時間差をおいて順次点灯させるようにしてもよい。例えば、まず下階側の照明器９Ａのみを点灯させておき、所定時間経過後に照明器９Ａを消灯させて照明器９Ｂのみを点灯させ、その後、所定時間経過毎に照明器９Ｃ乃至９Ｅを順次単独で点灯させる制御を繰り返し行うことにより、照明器９Ａ乃至９Ｅがステップ３の移動方向に沿って点滅することになり、乗客にステップ３の移動方向を明示すると共にイルミネーション的な機能を発揮して興趣性を向上することができる。
【００１７】
なお、上記実施形態では各欄干の内側面に照明器を設けているが、いずれか一方の欄干にのみ照明器を設けるようにしてもよい。
【００１８】
また、本発明はエスカレータ以外のマンコンベヤにも適用可能である。
【００１９】
その他にも、本発明の要旨を逸脱しない範囲で上記実施形態に種々の改変を施すことができる。
【００２０】
なお、照明器は、発光可能であればどのような種類でも良く、例えば蛍光灯、ＬＥＤ、ＥＬ（エレクトロルミネッセンス、有機、無機）、冷陰極管などがある。また、これらの組合わせや個数、形状、配置、発光色（白、黄、赤など）も適宜設定可能である。
【図面の簡単な説明】
【００２１】
【図１】本発明の一実施形態であるエスカレータの要部斜視図である。
【図２】図１のエスカレータの側面断面図である。
【図３】図２のＡ−Ａ線断面図である。
【図４】従来のエスカレータの一例を示す側面断面図である。
【符号の説明】
【００２２】
１  乗降口
２  乗降口
３  ステップ
４  欄干
９  照明器
１１  アクリル板（透光性部材）
１２  ランプ
１４  制御装置
【図１】
2006082895.tif 000003
【図２】
2006082895.tif 000004
【図３】
2006082895.tif 000005
【図４】
2006082895.tif 000006